(57)【要約】【課題】マスクの装着感と着脱性の両立を可能とするマスク調整具を提供する。【解決手段】本考案にかかるマスク調整具１は、マスク１０の紐１１にスライド自在に取付け可能な調整部材２と、紐１１に取り付けられた調整部材２の紐１１からの離脱を規制する規制部材３とを備えている。そして規制部材３は、装飾具４を有している。【選択図】図２
0003231547.tif 000002
【実用新案登録請求の範囲】
【請求項１】
マスクの紐にスライド自在に取付け可能な調整部材と、
前記紐に取り付けられた調整部材の紐からの離脱を規制する規制部材とを備え、
前記規制部材は、装飾具を有するマスク調整具。
【請求項２】
前記紐は、その両端がマスク本体の端部に取り付けられて環状を成し、
前記規制部材は、前記紐に取り付けられた前記調整部材と、前記紐の環状部との間に取り付けられている、請求項１に記載のマスク調整具。
【請求項３】
前記規制部材は環形状である、請求項１又は２に記載のマスク調整具。
【請求項４】
前記装飾具は、前記規制部材に吊り下げられている、請求項１、２又は３に記載のマスク調整具。
【請求項５】
前記装飾具は、前記規制部材に着脱可能である、請求項１ないし４の何れか１項に記載のマスク調整具。
【考案の詳細な説明】
【技術分野】
【０００１】  本考案は、マスク調整具に関する。
【背景技術】
【０００２】  インフルエンザやウィルスなどの感染防止、花粉症の花粉吸引防止等のために衛生用のマスクを着用することがある。近年では咳やクシャミにより唾液などの飛沫が周囲に飛び散らないように電車、バスなどの公共交通機関や、職場、学校、商業施設などの人の集まる場においてマスクエチケットと称してマスクの着用を求められることも多い。【０００３】  マスクは、鼻と口を覆うガーゼ、不織布、紙、樹脂などの様々な材質からなるマスク本体と、マスク本体の幅方向の両端にそれぞれ接続された環状の紐とから主に構成されている。そして着用する際には、マスク本体の両端の紐をそれぞれ左右の耳（耳殻）の後方に回して引っ掛けることによりマスクを顔に装着している。
顔の大きさ、鼻や口の大きさや位置は個人差があることから、マスク本体の大きさには、例えば、Ｓ、Ｍ、Ｌ、子供用、大人用などと称して異なるサイズが設定されている。マスク本体のサイズの変化に応じて紐の全長（環状の大きさ）も相対的に変化しているが、装着感が必ずしも使用者（装着者）の好みを満たすものではない。【０００４】  紐の長さを調整可能としたものとしては、例えば特許文献１が挙げられる。紐の長さを調整可能とすると装着感を好みに調整できるが、調整する部材が紐から外れてしまうと好みの装着感を得難い。また、耳にピアスやイヤリングなどの装飾具を装着している場合、マスクの紐を耳に対して着脱する際に、当該装飾具に紐が引っかかり、着脱し難いことがある。
【先行技術文献】
【特許文献】
【０００５】
【特許文献１】実用新案登録第３２２８７０８号公報
【考案の概要】
【考案が解決しようとする課題】
【０００６】  本考案は、マスクの装着感と着脱性の両立を可能とするマスク調整具を提供することを課題とする。
【課題を解決するための手段】
【０００７】  上記課題を解決するため、本考案にかかるマスク調整具は、マスクの紐にスライド自在に取付可能な調整部材と、前記紐に取り付けられた調整部材の紐からの離脱を規制する規制部材とを備え、前記規制部材は、装飾具を有することを特徴としている。
【考案の効果】
【０００８】  本考案によれば、マスクの装着感と着脱性の両立を可能とするマスク調整具を提供することができる。
【図面の簡単な説明】
【０００９】
【図１】本考案にかかるマスク調整具の構成を説明する図。
【図２】本考案にかかるマスク調整具を装着したマスクを顔に装着した状態を示す図。
【図３】本考案にかかるマスク調整具が装着されるマスクの一例を示す図。
【図４】本考案にかかるマスク調整具が装着されるマスクの別な例を示す図。
【図５】本考案にかかるマスク調整具の調整部材を紐に装着する装着例を示す図。
【図６】（ａ）、（ｂ）は、マスク調整具の調整部材を紐に装着した状態を示す図。
【図７】本考案にかかるマスク調整具の規制部材を紐に装着した状態を示す図。
【図８】本考案にかかるマスク調整具の規制部材に装飾具を装着した状態を示す図。
【考案を実施するための形態】
【００１０】  以下、本考案を好適な実施形態について図面を用いて説明する。
図１はマスク調整具の構成を示した図である。図２はマスク調整具を備えたマスクを顔２３に装着した状態を示す図である。本考案にかかるマスク調整具１は、マスク１０の紐１１にスライド自在に取付け可能な調整部材２と、紐１１に取り付けられた調整部材２の紐１１からの離脱を規制する規制部材３とを備えている。そして、規制部材３は、装飾具４を有する。このようなマスク調整具１によると、規制部材３によって調整部材２が紐１１から離脱することを防止できるので、マスク１０の装着性と着脱性の両立が可能である。
【００１１】  マスク調整具１を装着するマスク１０の構成について説明する。
マスク１０は、図２、図３に示すように、人の鼻２０と口２１を覆うガーゼ、不織布、紙、樹脂などの様々な材質を単層または複数層としたマスク本体１２と、マスク本体１２の幅方向Ｘの端部１２ａ、１２ｂにそれぞれ接続されていて、マスク使用時に耳（耳介）２２に引っ掛ける紐１１、１１とから主に構成されている。マスク本体１２の材質や構成は、例示のものに制限されるものではない。
【００１２】  各紐１１は、図３に示すように、その両端１１ａ、１１ｂがマスク本体１２の端部１２ａ、１２ｂの上下に接着や圧着などによって固定されて環状を成すように取り付けられている。図４に示すように、端部１２ａ、１２ｂにマスク上下方向Ｙに貫通するトンネル部１３、１３がそれぞれ形成されている場合、各紐１１をトンネル部１３内にそれぞれ挿通させて紐１１の両端１１ａ、１１ｂを互いに結んで環状に形成したものであってもよい。
各紐１１は、伸縮可能なゴム紐あるいは、布製紐を用いたものであってもよい。紐１１の断面形状は円形であっても矩形であってもよい。紐１１の形状は帯状であってもよいし、断面が円形の紐であってもよい。装飾性を考慮した場合、紐１１は例えばネックレスのように金属製の鎖形状のものであってもよい。この場合、端部１２ａ、１２ｂの上下にリングを装着し、当該リングに金属製の鎖形状の紐を挿入させて、紐の両端１１ａ、１１ｂを連結して環状に形成してもよいし、リングに金属製の鎖形状の紐の両端をそれぞれ取り付けて環状を成すようにしてもよい。
【００１３】  調整部材２は、図１に示すように、筒状部材で構成されていて、各紐１１にそれぞれ取り付けられる。各紐１１への調整部材２の取付けは、例えば図５に示すように、Ｕ字形状のピン３０の間に紐１１をピン３０の解放端３０ａからピン３０の湾曲端３０ｂに向かって挿入してピン３０に保持する。そして、解放端３０ａ側から調整部材２をピン３０に挿入し、湾曲端２０ｂを通過させることで、図６（ａ）に示すように紐１１に取り付けて装着する。このため、各紐１１に対する調整部材２の装着が容易に行えるので好ましい。
【００１４】  調整部材２が装着された紐１１は、図６（ｂ）に示すように調整部材２を境に環状の耳掛け部１１ｃと環状部１１ｄとに区画される。耳掛け部１１ｃのループの大きさは、紐１１上での調整部材２の位置をスライド移動させることで調整することができる。つまり、マスク装着時の紐１１のテンションが好みになるように調整することができるので装着性が良い。
調整部材２の筒状の内径は、例えば紐１１が２本分通過可能な直径を有している。調整部材２の位置調整は、その内径が小さくなるほど、紐１１に対する摩擦力が大きくなるためきつくなるが、耳掛け部１１ｃのループの大きさを維持しやすくなる利点となるため好ましい。調整部材２としては、ゴムや樹脂などの可撓性を有するチューブ材（管材）を用いることができる。
【００１５】  本実施形態において、調整部材２の装着例は１つの場合を例示したが、このような形態に限定するものでない。例えば、同一長さの調整部材２を、耳掛け部１１ｃのループの長さが好みの長さになるまで数珠つなぎに紐１１に装着してもよいし、長さの異なる調整部材２を複数用意し、複数の長さの調整部材２を紐１１に装着して用いてもよい。特にサイズの大きなマスク１０において、耳掛け部１１ｃのループの長さを短くすることで、サイズの小さなマスクがなくても、サイズの小さなマスクの代用として使用することができるので好ましい。
【００１６】  また、調整部材２に色のついた管材を用いることで、マスク１０の紐１１に装着した際のデザイン性が向上する。管材（調整部材２）の色は単色でもよいが、異なる色の管材（調整部材２）を用意し、耳掛け部１１ｃのループの長さに応じて異なる色の調整部材２を組み合わせてもデザイン性が向上するので好ましい。
【００１７】  規制部材３は、図７に示すように、紐１１に取り付けられた調整部材２と紐１１の環状部１１ｄとの間に取り付けられる。規制部材３は、例えばレバー操作で開閉が可能なカニカン等のリング状に構成されていて、環状部１１Ｄに対して着脱可能とされている。規制部材３としては、クリップリング、二重リング、輪の一部が開閉可能なカードリングのようなものであってもよい。
【００１８】  本実施形態において、装飾具４は、図８に示すように、紐１１に装着する規制部材３が備えているので、耳に装飾具４を付けた状態でマスク１０を顔２３に装着する場合に比べて邪魔になることが少なく、マスク１０の装着性が向上するので好ましい。また、装飾具４は、規制部材３に吊り下げられているドロップタイプのものである。このため、マスク１０を装着した場合でも、装飾具４が耳で隠れることがなく見栄えが良いので好ましい。
【００１９】  装飾具４は、ドロップタイプのものに限るものではなく、規制部材３自体がイヤリングで構成された、規制部材３と装飾具４とが一体のもので有っても良い。装飾具４としては、ドロップタイプのように装飾具４が規制部材３に対して着脱可能なものであると、装飾具４を好みのもの、服装などに合わせて付け替えることができ、自由度やファッション性が高まるので好ましい。
【産業上の利用可能性】
【００２０】  本考案は衛生マスクの使用に適したものであるが、軽量なものであれば他のマスク、例えば防塵マスク、防毒マスク、酸素マスク等にも使用することも可能である。
【符号の説明】
【００２１】  １・・・・マスク調整具
２・・・・調整部材
３・・・・規制部材
４・・・・装飾具
１０・・・マスク
１１・・・紐
１１ａ、１１ｂ・・紐の両端
１２・・・マスク本体
１２ａ、１２ｂ・・マスク本体の端部
【図１】
0003231547.tif 000003
【図２】
0003231547.tif 000004
【図３】
0003231547.tif 000005
【図４】
0003231547.tif 000006
【図５】
0003231547.tif 000007
【図６】
0003231547.tif 000008
【図７】
0003231547.tif 000009
【図８】
0003231547.tif 000010